(57)【要約】【課題】無線ネットワークにおける資源限定のためのシステム、装置および方法が開示される。本発明は緊急時および他の同様な事態において、すべてのユーザが少なくとも一部のネットワーク資源にアクセスできるようにするという課題に取り組んでいる。【解決手段】本発明は緊急時または他の同様な事態の指示時に、通信のために使用されるフィルタを、保証されたビットレートの無線ベアラーから保証されていないビットレートの無線ベアラーへ変更する。【選択図】図１
2013502085.tif 000002
【特許請求の範囲】
【請求項１】
無線ネットワークによる資源限定の実施時に、確立されていないベアラーに対応するベアラーコンテキストから、初期設定ベアラーがＴＦＴを有するときの初期設定ベアラーコンテキストにフィルタを変更し、前記ネットワークによる資源限定の実施が解除されるまでＵＥ要求のＱｏＳ修正手順を中断するＵＥと、
無線ネットワークによる資源限定の実施を知らされて、確立されていないベアラーに対応するベアラーコンテキストから、初期設定ベアラーがＴＦＴを有するときの初期設定ベアラーにフィルタを変更するネットワークノードと、
を備える資源限定のシステム。
【請求項２】
前記ＵＥは、資源限定の実施と確立されていないベアラーとの検出時に、前記ネットワークノードとの将来の同期化のために凍結ベアラーコンテキストとして現在のコンテキストを記憶する、請求項１に記載のシステム。
【請求項３】
前記ＵＥは資源限定の実施の解除の検出時に、前記ＵＥのベアラーコンテキストを前記ネットワークノードに再同期化する、請求項２に記載のシステム。
【請求項４】
前記ＵＥは明示的指示によって再同期化する、請求項３に記載のシステム。
【請求項５】
前記ＵＥは、接続モードにおいてサービス要求を送信することの暗示的指示によって再同期化する、請求項３に記載のシステム。
【請求項６】
前記初期設定フィルタにコピーされた各フィルタがマーク付けされる、請求項２に記載のシステム。
【請求項７】
マーク付けされたフィルタが削除されるときに、前記凍結ベアラーコンテキストにおける対応するフィルタも削除される、請求項６に記載のシステム。
【請求項８】
資源限定の実施と確立されていないベアラーとを知らされた場合に、前記ＵＥとの将来の同期化のために現在のコンテキストを記憶する、請求項１に記載のシステム。
【請求項９】
前記ネットワークノードは、無線ネットワークによる資源限定の実施を中断する指示からなる、前記ＵＥによる同期化メッセージを受信したときに、確立されていないベアラーのためにベアラー確立を開始する、請求項８に記載のシステム。
【請求項１０】
無線ネットワークによる資源限定の実施をＵＥによって検出するステップと、
確立されていないベアラーのフィルタを初期設定ベアラー内にＴＦＴが存在する場合の初期設定ベアラーに変更するステップと、
前記資源限定の実施が前記無線ネットワークによって中断されるまで、更なるＵＥ要求のＱｏＳ修正手順を中断するステップと、
資源限定の実施を前記ネットワークノードに指示するステップと、
ネットワークノードが、確立されていないベアラーのフィルタを初期設定ベアラー内にＴＦＴが存在する場合の初期設定ベアラーに変更するステップと、
を備える資源限定の実施方法。
【請求項１１】
現在のベアラーコンテキストを凍結ベアラコンテキスト情報として前記ＵＥが記憶するステップを更に備える、請求項１０に記載の方法。
【請求項１２】
確立されたベアラーに対応するベアラーコンテキストが、次のトリガーまで使用済みベアラーコンテキストとして残る暫定ベアラーコンテキストと見なされる、請求項１１に記載の方法。
【請求項１３】
前記次のトリガーは前記ＵＥがアイドルモードに移ることである、請求項１０に記載の方法。
【請求項１４】
前記次のトリガーは、前記凍結ベアラーコンテキスト情報内の前記ベアラーコンテキストに対応するベアラーの再確立である、請求項１０に記載の方法。
【請求項１５】
前記無線ネットワークによる資源限定の実施解除の検出時に、ＵＥの凍結ベアラーコンテキストをＵＥが前記ネットワークノードに同期させるステップと、資源限定の実施解除の指示を前記ネットワークが検出して、前記凍結ベアラーコンテキスト内の確立されていないベアラーに対応するベアラーの確立を開始するステップとを更に備える、請求項１０に記載の方法。
【請求項１６】
前記ＵＥが前記初期設定ベアラーにコピーされた各フィルタにマーク付けするステップを更に備える、請求項１０に記載の方法。
【請求項１７】
前記初期設定ベアラー内の前記フィルタが削除されたときに、前記凍結コンテキスト内の対応するフィルタを前記ＵＥが削除するステップを更に備える、請求項１３に記載の方法。
【発明の詳細な説明】
【技術分野】
【０００１】
本発明は無線ネットワークに関し、特に無線ネットワークにおける資源限定に関する。
【背景技術】
【０００２】
資源管理はロングタームエボリューション（ＬＴＥ）に基づくネットワークといった無線ネットワークにおける主要な懸案事項である。特に緊急事態時における資源管理は、資源が保全される必要があるときに、無線ネットワーク運用者にとって重要である。このような状況時には警告および警報といった緊急時サービスを提供するためにネットワーク資源の使用を限定することは有益であり得る。例えば地震のときにマルチメディアサービスのためのネットワーク使用を限定して、無線ネットワーク上で警報を与えることは有益であろう。
【０００３】
無線ネットワーク運用者は時には、ネットワークユーザと彼らのユーザ装置（ＵＥ）とのサブセットのためにネットワーク資源へのアクセスを完全に制限することによって、緊急事態における資源管理を取り扱う。これは、ネットワーク資源を保全するという効果を有するが、一部のユーザの如何なる通信も阻止するという犠牲を伴う。
【０００４】
従来技術は緊急時および他の同様な事態における資源管理のための機構として、アクセス・クラス・バーリングを論じている。この機構によって無線ネットワークＵＥは異なるアクセスクラスをランダムに割り当てられる。その後緊急時には、ある幾つかのアクセスクラスはネットワーク資源にアクセスすることを阻止される。そうすることによってこの機構は、ネットワーク資源が、ある一定の割合のＵＥだけに限定されることを可能にする。しかしながらこの機構は、一部のＵＥがネットワークにアクセスすることを完全に阻止するという欠点を有する。
【０００５】
これまで論じられた従来技術は、緊急時および同様な事態における通信のために、すべてのＵＥがネットワーク資源に少なくともある程度アクセスできるようにする、資源管理の必要性に取り組むための既存の機構の欠如を明らかにしている。
【先行技術文献】
【非特許文献】
【０００６】
【非特許文献１】３ＧＰＰ  ＴＳ  ２２．０１１  「Ｓｅｒｖｉｃｅ  Ａｃｃｅｓｓｉｂｉｌｉｔｙ」
【非特許文献２】３ＧＰＰ  ＴＳ  ２４．３０１  「Ｎｏｎ−Ａｃｃｅｓｓ−Ｓｔｒａｔｕｍ（ＮＡＳ）ｐｒｏｔｏｃｏｌ  ｆｏｒ  Ｅｖｏｌｖｅｄ  Ｐａｃｋｅｔ  Ｓｙｓｔｅｍ（ＥＰＳ）」
【発明の概要】
【発明が解決しようとする課題】
【０００７】
緊急時および他の同様な事態においては、すべてのユーザが通信のためにネットワーク資源に少なくともある程度アクセスできることが望ましい。これは、ウェブブラウジングといった低ビットレート通信を実行するために十分なネットワーク資源を用意することによって達成され得る。このようなアプローチは、ユーザが最新のニュースおよび情報によって更新されることを可能にする。
【０００８】
緊急時および同様な事態において、ネットワークが単に保証されていないビットレート（ｎｏｎ−ＧＢＲ）ベアラーを提供できる場合には、ネットワークは帯域幅使用といったネットワーク資源を管理することができる。Ｎｏｎ−ＧＢＲベアラーはサービスの品質（ＱｏＳ）を保証しないので、すべてのＵＥは保証されたＱｏＳを持たない少なくとも一部の帯域幅にアクセスできる。
【０００９】
しかしながらｎｏｎ−ＧＢＲベアラーから保証されたビットレート（ＧＢＲ）ベアラーにデータを変更することは、ネットワークがｎｏｎ−ＧＢＲベアラーだけをセットアップするときにコンテキスト情報が失われるので効率的でないこともあり得る。ユーザは多数の動作しているアプリケーションを有する可能性があり、またユーザは緊急時および他の同様な事態の後に資源利用可能性が正常に戻ったとき、ユーザのアプリケーションが正常なＱｏＳレベルに戻ることを期待している可能性がある。この場合、アプリケーションはＧＢＲベアラーのためのコンテキストを再びセットアップする必要があり、これはアプリケーションに影響を与える。資源限定に関するコンテキストのセットアップは純粋にＮＡＳレベル機能であり、アプリケーションはこれらの複雑さから隠されるべきである。
【００１０】
上記の問題を考慮して、ネットワーク資源限定の期間中、１セットのベアラーのためのフィルタを初期設定ベアラーに変更することによって資源限定のためのシステム、装置および方法を提供することは、本発明の目的である。
【００１１】
ネットワーク資源限定が解除された後に、１セットのベアラーを将来の同期化に使用するために現在のベアラーコンテキスト、凍結ベアラーコンテキストを記憶することによって資源限定のためのシステム、装置および方法を提供することは、本発明の別の目的である。
【００１２】
ネットワーク資源限定が解除された後に、凍結ベアラーコンテキストを再同期化することによって資源限定のためのシステム、装置および方法を提供することは本発明の更に別の目的である。
【課題を解決するための手段】
【００１３】
本発明は、緊急時および他の同様な事態でのネットワークにおける資源管理に関する問題に取り組んでいる。
【００１４】
最も広い態様において本発明は、無線ネットワークによる資源限定の実施時に、確立されていないベアラーに対応するベアラーコンテキストから、初期設定ベアラーがＴＦＴを有するときの初期設定ベアラーコンテキストにフィルタを変更し、そしてネットワークによる資源限定の実施が解除されるまでＵＥ要求のＱｏＳ修正手順を中断するＵＥと、無線ネットワークによる資源限定の実施を知らされたときに、確立されていないベアラーに対応するベアラーコンテキストから、初期設定ベアラーがＴＦＴを有するときの初期設定ベアラーにフィルタを変更するネットワークノードと、からなる資源限定のシステムを提供する。
【００１５】
更なる態様において、資源限定の実施と確立されていないベアラーとの検出時に、ＵＥはネットワークノードとの将来の同期化のために凍結ベアラーコンテキストとして現在のコンテキストを記憶する。
【００１６】
別の態様において本発明は、無線ネットワークによる資源限定の実施をＵＥによって検出するステップと、確立されていないベアラーのフィルタを初期設定ベアラーにＴＦＴが存在する場合の初期設定ベアラーに変更するステップと、資源限定の実施が無線ネットワークによって中断されるまで更なるＵＥ要求のＱｏＳ修正手順を中断するステップと、ネットワークノードに資源限定の実施を指示するステップと、ネットワークノードが、確立されていないベアラーのフィルタを初期設定ベアラーにＴＦＴが存在する場合の初期設定ベアラーに変更するステップと、を備える資源限定の実施方法を提供する。
【００１７】
更なる態様において本方法は、現在のベアラーコンテキストを凍結ベアラーコンテキスト情報としてＵＥが記憶するステップを備える。
【図面の簡単な説明】
【００１８】
【図１】本発明の一実施形態にしたがって動作するＵＥを示す図である。
【図２】本発明の一実施形態にしたがって動作するネットワークノードを示す図である。
【図３】本発明の一実施形態の動作シーケンスを示す図である。
【図４】本発明によるＵＥまたはネットワークノードの動作シーケンスの流れ図である。
【図５】本発明の一実施形態の動作シーケンスを示す図である。
【図６】本発明によるＵＥまたはネットワークノードの動作シーケンスの流れ図である。
【図７】本発明によるＵＥまたはネットワークノードの動作シーケンスの流れ図である。
【図８】本発明によるＵＥまたはネットワークノードの動作シーケンスの流れ図である。
【発明を実施するための形態】
【００１９】
下記の説明では説明目的で、本発明の徹底した理解を与えるために特定の番号、時間、構造および他のパラメータが説明される。しかしながら本発明がこれら特定の詳細事項なしで実施され得ること、またはこれら詳細事項を変更して実施され得ることは当業者にとって明らかであろう。
【００２０】
（実施の形態１）
本発明は、無線ネットワークにおける資源限定のためのシステム、装置および方法を提供する。
【００２１】
ＵＥがアップリンクデータまたは信号伝達を有するとき、ＵＥはサービス要求を開始する。本発明の一実施形態によれば、ＵＥはそれから資源限定が実施されていることをＵＥの下位層によって通知される。ＵＥはその後、確立されたベアラーに関してチェックを行う。幾つかの専用ベアラーが確立されていない場合には、ＵＥは資源限定が実施されていることを認識した後に初期設定ベアラーコンテキストがこのＵＥに割り当てられたフィルタを有するかどうかをチェックする。初期設定ベアラーコンテキストがＴＦＴを有する場合には、ＵＥは専用ベアラーコンテキストから初期設定ベアラーコンテキストにＴＦＴを変更する。それからＵＥは初期設定ベアラーがいったん確立されたときにアップリンクデータ伝送を進める。初期設定ベアラーコンテキストがＴＦＴを持たない場合には、ＵＥは専用ベアラーコンテキストを削除し、初期設定ベアラーを使用してアップリンクデータ伝送を進めてもよい。この後、ＵＥは、資源限定が解除されるまでＵＥのアプリケーションによって要求された如何なるＱｏＳ修正手順も中断する。いったん資源限定が解除されると、ＵＥはＱｏＳ修正のための要求を可能にする。
【００２２】
ネットワークは資源限定が実施されているとき、プレミアムユーザのために専用ベアラーを再起動し得る。資源限定が解除された後に、ネットワークはすべてのユーザのために専用ベアラーを再起動し得る。ＵＥもまた資源限定が解除された後に専用ベアラー活性化を再起動し得る。
【００２３】
図３は本発明のこの実施形態に関する動作シーケンス（３００）を示す。シーケンス（３００）はＵＥ（１００）、ｅＮｏｄｅ−Ｂ（ＥＮＢ）（３０５）およびネットワークノード（ＮＮ）（２００）によって例示される。ＵＥ（１００）、ＥＮＢ（３０５）およびＮＮ（２００）はＧＳＭ（登録商標）、ＵＭＴＳ、ＣＤＭＡ２０００、ＬＴＥおよびＷｉＭＡＸを含む単一または複数の無線技術のいずれかにしたがって動作し得る。本実施形態の例示では、ＵＥ（１００）、ＥＮＢ（３０５）およびＮＮ（２００）は３ＧＰＰ  ＬＴＥにしたがって動作する。ＮＮ（２００）は移動体管理エンティティ（ＭＭＥ）、Ｐゲートウェイおよび他のネットワークエンティティを備えるネットワークを代表している。ＥＮＢ（３０５）はＬＴＥ無線インタフェースをＵＥ（２００）に供給する。
【００２４】
本発明はＵＥ（１００）がアイドルモードにあるときに適用可能であると想定されている。ＵＥ（１００）が接続モードにある本発明の一態様では、ＥＮＢ（３０５）は最初にＵＥ（１００）との無線資源管理（ＲＲＣ）接続を解放する。これにより、ＵＥ（１００）は、本発明が適用可能であるアイドルモードに変化させられる。
【００２５】
本発明によれば、緊急時または同様な事態が発生すると、ＥＮＢ（３０５）がＵＥとネットワークのＥＮＢとの間の無線インタフェース上のＧＢＲトラヒックの限定を決定するという結果をもたらす。この決定は、緊急時警報システムといった外部情報源またはネットワーク運用者によってトリガーされ得る。このようなトリガーを受信すると、ＥＮＢ（３０５）はステップ（３１５）において無線インタフェース上で資源限定ビットを送信する。資源限定ビットは、ＵＥ（２００）および他のＵＥに緊急時または他の同様な事態を知らせるように機能する。資源限定ビットはまた、ＵＥ（２００）および他のＵＥに資源限定が実行されることになっていること、および、資源限定が「オン」になっていることを知らせるように機能する。ステップ（３１５）は、資源限定ビットを放送し、すべてのサービス要求からのＲＲＣメッセージ内に新しい指示を含ませ、適切なシステム情報ブロックを更新し、ページングをＵＥ（２００）および他のＵＥに送信することによって、あるいは他の同様な機構によって実現され得る。本実施形態の一態様では、ＵＥ（２００）のＲＲＣ層は資源限定が「オン」になっているという通知を受信する。
【００２６】
ステップ（３２０）でＵＥ（１００）は、データまたは信号伝達を有し、アップリンク接続を確立しようと試みる。ステップ（３２０）はＵＥ（１００）のＲＲＣ層に通知を送信するＵＥ（１００）のＮＡＳ層を関与させる。このときＮＡＳ層はＲＲＣ層から資源限定が「オン」になっているという通知を受信する。
【００２７】
次にステップ（３２５）でＵＥ（１００）のＮＡＳ層は、資源限定が「オン」になっているという通知を処理する。この後にＵＥ（１００）はステップ（３３０）で接続要求を送信する。この接続要求はサービス要求メッセージまたは他の同様な意図のメッセージであり得る。この接続要求メッセージはＥＮＢ（３０５）によって受信されて、ＮＮ（２００）に転送される。
【００２８】
ＵＥ（１００）から接続要求を受信した後に、ＮＮ（２００）はベアラー確立を初期化し、ステップ（３３５）で初期コンテキストセットアップ要求をＥＮＢ（３０５）に送信する。その後ステップ（３４０）で、ＥＮＢ（３０５）はＵＥ（１００）によって初期設定ベアラーを含むｎｏｎ−ＧＢＲベアラーだけを確立する。
【００２９】
ステップ（３４５）でＥＮＢ（３０５）は、原因値をＮＮ（２００）に供給して、資源限定が「オン」になっていることをＮＮ（２００）に知らせる。本実施形態の一態様では、ＥＮＢ（３０５）はＧＢＲベアラーを確立しないという指示のために新しい原因値を有するＳ１−ＡＰメッセージをＮＮ（２００）に送信する。本実施形態の別の態様ではＵＥ（１００）は資源限定時に接続要求メッセージをタイプサービス要求からタイプ拡張サービス要求に変更する。
【００３０】
ステップ（３５０）でＵＥ（１００）は、限定された無線ベアラーの確立を処理する。ＵＥ（１００）のＮＡＳ層は専用ベアラーの既存のフィルタを初期設定ベアラーに変更する。ステップ（３５０）は、ｎｏｎ−ＧＢＲ初期設定ベアラーへのアクセスの形態での通信のために、ＵＥ（１００）がネットワーク資源への少なくともある程度のアクセスを有することを保証する。
【００３１】
ステップ（３５５）でＮＮ（２００）は、限定された無線ベアラーの確立を処理する。ＮＮ（２００）のＮＡＳ層は専用ベアラーの既存のフィルタを初期設定ベアラーに変更する。本発明の一態様では、これらのフィルタはベアラーのためのトラヒック・フロー・テンプレート（ＴＦＴ）であり得る。ステップ（３５５）は、ｎｏｎ−ＧＢＲ初期設定ベアラーへのアクセスの形態での通信のために、ＵＥ（１００）がネットワーク資源への少なくともある程度のアクセスを有することをＮＮ（２００）が可能にすることを保証する。
【００３２】
フィルタの変更の後にＵＥ（１００）は、ステップ（３６０）でユーザ面データ変更を実行する。このステップでＵＥ（１００）は、ＩＭＳアプリケーションのためのＳＩＰ信号伝達といった、アプリケーションのための信号伝達を実行することもあり得る。ＵＥ（１００）とネットワークとの間のすべての通信は初期設定ベアラーを含むｎｏｎ−ＧＢＲベアラーを介して行われる。
【００３３】
ステップ（３６５）では、資源限定が解除されるべきであるというトリガーをＥＮＢ（２０５）が受信した後に、ＥＮＢ（２０５）は無線インタフェース上での資源限定ビットの送信を中断する。ステップ（３６５）は、資源限定が終了して資源限定が「オフ」になっていることをＵＥ（１００）および他のＵＥに示すように機能する。ステップ（３６５）は、資源限定ビットの放送を中止すること、適切なシステム情報ブロックを更新すること、またはページングをＵＥ（２００）および他のＵＥに送信することによって、あるいは他の同様な機構によって実現され得る。本実施形態の一態様では、ＵＥ（２００）のＲＲＣ層は資源限定が「オフ」であることを認識し、あるメッセージを（２００）のＮＡＳ層に送信する。
【００３４】
資源限定が「オフ」であることを認識した後に、ＵＥ（２００）は前に使用されたベアラーコンテキストを使用することに戻る。ステップ（３７０）でＵＥ（１００）は、以前に使用されたベアラーコンテキストを確立するためにＱｏＳ修正の開始を再び可能にする。本実施形態の一態様では、ＵＥ（２００）は新しいベアラーコンテキスト状態を示すメッセージをＮＮ（２００）に送信する。これはベアラーコンテキスト状態情報要素（ＩＤ）または他の同様な通知を介してＮＮ（２００）に送信され得る。本実施形態の別の態様では、ＮＮ（２００）は資源限定が「オフ」であることを示すメッセージを外部情報源から受信し得る。
【００３５】
資源指示が「オフ」であることを認識すると、ＮＮ（２００）はＵＥ（１００）からのベアラーコンテキスト状態ＩＥをチェックして、ベアラーコンテキスト状態をＵＥ（１００）に再同期化する。ＮＮ（２００）はＵＥ（１００）のために残っている専用ベアラーを確立する作業に進む。
【００３６】
「限定された無線ベアラー確立の処理の詳細」
図４の流れ図（４００）は、限定された無線ベアラーの確立をそれぞれＵＥ（１００）とＮＮ（２００）とによって処理するステップ（３５０）と（３５５）とを備える動作を示す。ステップ（４０５）でＵＥ（１００）は、ネットワーク資源へのアクセスの要求時に資源限定が「オン」になっているかどうかをチェックする。ステップ（４０５）は、資源限定のこの状態を示すＲＲＣ層からのメッセージをＮＡＳ層が受信することによって達成され得る。
【００３７】
ステップ（４０５）のチェックの結果、資源限定は「オン」であることが認識される場合には、ＵＥ（１００）は次に、ステップ（４１０）で初期設定ベアラーがＴＦＴを有するかどうかをチェックする。初期設定ベアラーがＴＦＴを有する場合には、確立されていない専用ベアラーからのＴＦＴはステップ（４１５）で初期設定ベアラーに変更される。確立されていない専用ベアラーコンテキストはステップ（４２０）で不活性化される。
【００３８】
次に、ステップ（４２５）でＵＥ（１００）は、資源限定が「オフ」になるまでＱｏＳ修正を開始することを阻止される。ステップ（４２５）は、ＱｏＳ修正が要求されるときにエラー通知をアプリケーションに送信するＮＡＳ層によりＵＥ（１００）によって遂行され得る。ステップ（４２５）はエラーの原因を有するＱｏＳ修正要求を拒絶することによりＮＮ（２００）によって遂行され得る。ステップ（４２５）は他の手段を用いてＵＥ（１００）とＮＮ（２００）とによっても遂行され得る。
【００３９】
資源限定が「オフ」である場合、または初期設定ベアラーコンテキストがＴＦＴを持たない場合には、ステップ（４２０）は直ちに実行される。
【００４０】
（実施の形態２）
本発明の別の実施形態では、資源限定が実施されているとき、専用ベアラーのベアラーコンテキストはこれらのベアラーコンテキストのＴＦＴを初期設定ベアラーコンテキストに変更する前に記憶または「凍結」される。その後、資源限定が解除されたときに「凍結」ベアラーコンテキストが使用される。
【００４１】
図５のシーケンス（５００）は本実施形態を示す。シーケンス（５００）はＵＥ（１００）とｅＮｏｄｅ−Ｂ（ＥＮＢ）（３０５）とネットワークノード（ＮＮ）（２００）とによって例示される。
【００４２】
本発明によれば、緊急時または同様な事態が発生すると、ＥＮＢ（３０５）がＵＥとネットワークのＥＮＢとの間の無線インタフェース上のＧＢＲトラヒックの限定を決定するという結果をもたらす。この決定は緊急時警報システムといった外部情報源またはネットワーク運用者によってトリガーされ得る。このようなトリガーを受信したとき、ＥＮＢ（３０５）はステップ（５０５）において無線インタフェース上で資源限定ビットを送信する。資源限定ビットは緊急時または同様な事態をＵＥ（２００）および他のＵＥに通知するように機能する。資源限定ビットはまた、資源限定が実行されることになっていること、および資源限定が「オン」になっていることをＵＥ（２００）および他のＵＥに通知するように機能する。ステップ（５０５）は資源限定ビットを放送すること、すべてのサービス要求からのＲＲＣメッセージに新しい指示を含ませること、適切なシステム情報ブロックを更新すること、またはページングをＵＥ（２００）および他のＵＥに送信することによって、または他の同様な機構によって実現され得る。本実施形態の一態様では、ＵＥ（２００）のＲＲＣ層は資源限定が「オン」になっているという通知を受信する。
【００４３】
ステップ（５１５）でＵＥ（１００）は、データまたは信号伝達を有し、アップリンク接続を確立しようと試みる。ステップ（５１５）はある通知をＵＥ（１００）のＲＲＣ層に送信するＵＥ（１００）のＮＡＳ層を関与させる。このときＮＡＳ層は、資源限定が「オン」になっているという通知をＲＲＣから受信する。
【００４４】
次に、ステップ（５２０）でＵＥ（１００）のＮＡＳ層は、資源限定が「オン」になっているという通知を処理する。その後、ＵＥ（１００）はステップ（５２５）で接続要求を送信する。接続要求はサービス要求メッセージまたは同様の意図の他のメッセージであり得る。接続要求メッセージはＥＮＢ（３０５）によって受信されて、ＮＮ（２００）に転送される。
【００４５】
ＵＥ（１００）から接続要求を受信した後に、ＮＮ（２００）はベアラー確立を初期化し、ステップ（５３０）で初期コンテキストセットアップ要求をＥＮＢ（３０５）に送信する。その後、ステップ（５３５）でＥＮＢ（３０５）は、ＵＥ（１００）によって初期設定ベアラーを含むｎｏｎ−ＧＢＲベアラーだけを確立する。
【００４６】
ステップ（５４０）でＥＮＢ（３０５）は、資源限定が「オン」になっていることをＮＮ（２００）に通知する原因値をＮＮ（２００）に供給する。本実施形態の一態様では、ＥＮＢ（３０５）はＧＢＲベアラーを確立しないという指示のために、新しい原因値を有するＳ１−ＡＰメッセージをＮＮ（２００）に送信する。本実施形態の別の態様では、ＵＥ（１００）は資源限定時に接続要求メッセージをタイプサービス要求からタイプ拡張サービス要求に変更する。
【００４７】
ステップ（５４５）でＵＥ（１００）は、限定された無線ベアラーの確立を処理する。初期設定ベアラーがＴＦＴを有する場合には、ＵＥ（１００）のＮＡＳ層は専用ベアラーの既存のフィルタを初期設定ベアラーに変更する。ステップ（５４５）は、ＵＥ（１００）がｎｏｎ−ＧＢＲ初期設定ベアラーへのアクセスの形態での通信のために、ネットワーク資源への少なくともある程度のアクセス有することを保証する。
【００４８】
ステップ（５５０）でＮＮ（２００）は、限定された無線ベアラーの確立を処理する。ＮＮ（２００）のＮＡＳ層は、専用ベアラーの既存のフィルタを初期設定ベアラーに変更する。本発明の一態様では、これらのフィルタはベアラーのためのトラヒック・フロー・テンプレート（ＴＦＴ）であり得る。ステップ（５５０）は、ｎｏｎ−ＧＢＲ初期設定ベアラーへのアクセスの形態での通信のために、ＵＥ（１００）がネットワーク資源への少なくともある程度のアクセスを有することを可能にすることを保証する。
【００４９】
フィルタの変更の後にＵＥ（１００）は、ステップ（５５５）でユーザ面データ変更を実行する。このステップでＵＥ（１００）は、ＩＭＳアプリケーションのためのＳＩＰ信号伝達といった、アプリケーションのための信号伝達を実行することもあり得る。ＵＥ（１００）とネットワークとの間のすべての通信は初期設定ベアラーを含むｎｏｎ−ＧＢＲベアラーを介して行われる。
【００５０】
ステップ（５６０）でＥＮＢ（２０５）は、ＧＢＲトラヒックに対する限定を解除する決定を行う。この決定は、緊急時警報システムといった外部情報源またはネットワーク運用者によってトリガーされ得る。
【００５１】
次に、ステップ（５６５）において、資源限定が解除されるべきであるというトリガーをＥＮＢ（３０５）が受信した後に、ＥＮＢ（３０５）は無線インタフェース上で資源限定ビットを送信することを中断する。ステップ（５６５）は資源限定が終了したことと資源限定が「オフ」になっていることとをＵＥ（１００）および他のＵＥに示すように機能する。ステップ（５６５）は、資源限定ビットの放送を中断すること、適切なシステム情報ブロックを更新すること、またはページングをＵＥ（１００）および他のＵＥに送信することによって、あるいは他の同様な機構によって実現され得る。本実施形態の一態様では、ＵＥ（１００）のＲＲＣ層は資源限定が「オフ」になっていることを認識して、メッセージをＵＥ（１００）のＮＡＳ層に送信する。
【００５２】
資源限定が「オフ」になっていることを認識した後に、ＵＥ（１００）はステップ（５７０）で限定ビットの存在におけるチャンスを処理する。このステップでＵＥ（１００）は、資源限定が「オフ」になっていることを示すためにメッセージをネットワークに送信する。ＵＥ（１００）はステップ（５７５）で、資源限定「オフ」の指示を有する接続要求を送信する。ステップ（５７５）のメッセージは追跡領域更新メッセージまたはサービス要求メッセージであり得る。ＥＮＢ（３０５）はステップ（５７５）のメッセージを受信して、このメッセージをＮＮ（２００）に転送する。
【００５３】
本実施形態の一態様では、ステップ（５７５）においてＵＥ（１００）は、接続モードにある間にタイプサービス要求の接続要求メッセージを送信する。ＵＥは接続モードにおいてサービス要求を送信しないので、ＮＮ（２００）はＵＥ（１００）が「凍結」コンテキストを同期化しようとしていることを認識する。
【００５４】
本実施形態の別の態様では、ステップ（５７５）においてＵＥ（１００）は、ベアラーコンテキスト状態と資源限定が「オフ」になっているという指示とを有する、タイプ追跡領域更新の接続要求メッセージを送信する。
【００５５】
本実施形態の更に別の態様では、ステップ（５７５）においてＵＥ（１００）は、ベアラーコンテキスト状態と資源限定が「オフ」になっているという指示とを有する、拡張サービス要求を送信する。
【００５６】
ステップ（５７５）のメッセージを受信すると、ＮＮ（２００）はステップ（５８０）で資源限定「オフ」の指示を有する接続要求を処理する。このステップでＮＮ（２００）は、ベアラーコンテキストをＵＥ（１００）に同期させる。ＮＮ（２００）はステップ（５８５）で、ＵＥ（１００）のために残りの専用ベアラーを確立するように進む。
【００５７】
「限定された無線ベアラー確立の処理の詳細」
図６の流れ図（６００）は、限定された無線ベアラーの確立をそれぞれＵＥ（１００）およびＮＮ（２００）によって処理するステップ（５４５）および（５５０）からなる動作を示す。ステップ（６０５）でＵＥ（１００）は、ネットワーク資源にアクセスするための要求時に資源限定が「オン」になっているかどうかをチェックする。ステップ（６０５）は、資源限定のこの状態を示すＲＲＣ層からのメッセージをＮＡＳ層が受信することによって遂行され得る。
【００５８】
ステップ（６０５）のチェックの結果、資源限定が「オン」になっていることが認識される場合には、ＵＥ（１００）はステップ（６１０）で、専用ベアラーの現在のベアラーコンテキストを「凍結」コンテキストとして保存する。
【００５９】
次にＵＥ（１００）は、ステップ（６１５）で初期設定ベアラーがＴＦＴを有するかどうかをチェックする。初期設定ベアラーがＴＦＴを有する場合には、確立されていない専用ベアラーからのＴＦＴはステップ（６２０）で初期設定ベアラーに変更される。
【００６０】
その後、ステップ（６２５）でＵＥ（１００）は、資源限定が「オフ」になるまでＱｏＳ修正を開始することを阻止される。ステップ（６２５）は、ＱｏＳ修正が要求されたときにエラー通知をアプリケーションに送信するＮＡＳ層により、ＵＥ（１００）によって遂行され得る。ステップ（６２５）はエラーの原因を有するＱｏＳ修正要求を拒絶することにより、ＮＮ（２００）によって遂行され得る。ステップ（６２５）はまた、他の手段を用いてＵＥ（１００）およびＮＮ（２００）によっても遂行され得る。
【００６１】
ステップ（６０５）において資源限定が「オフ」である場合には、確立されていない専用ベアラーコンテキストはステップ（６３０）で不活性化され、その後ＵＥは（６２５）でＱｏＳ修正を開始することを阻止される。
【００６２】
ステップ（６１５）で初期設定ベアラーコンテキストがＴＦＴを持たない場合には、ステップ（６２５）は直ちに実行される。
【００６３】
「限定ビットにおける変化の処理の詳細−ＵＥ」
図７の流れ図（７００）は、ＵＥ（１００）による限定ビットの存在における変化を処理するステップ（５７０）からなる動作を示す。ステップ（７０５）でＵＥ（１００）は、資源限定ビットにおける変化を検出する。このステップは指示をＮＡＳ層に送信するＲＲＣ層によって遂行され得る。
【００６４】
資源限定状態における変化を検出するとＵＥ（１００）は、資源限定における変化を示すためにネットワークＮＮ（２００）に対するメッセージをトリガーする。これは追跡領域更新メッセージ、拡張サービス要求メッセージ、またはサービス要求メッセージを送信することによって遂行され得る。
【００６５】
ＵＥ（１００）はステップ（７１５）において、ネットワークＮＮ（２００）へのメッセージ内にベアラーコンテキスト状態の指示を含ませる。この指示は、ベアラーコンテキスト状態情報要素の形で明示的に、またはＵＥ（１００）が接続モードにあるときに送信されたサービス要求メッセージの形で暗示的に示され得る。
【００６６】
「限定ビットにおける変化の処理の詳細−ＮＮ」
図８の流れ図（８００）は、ＮＮ（２００）による限定ビットの存在における変化を処理するステップ（５８０）からなる動作を示す。ステップ（８０５）でＮＮ（２００）は、資源限定が「オフ」になっているという指示を受信する。このステップはＵＥ（１００）から通知を受信するＮＮ（２００）によって遂行され得る。このステップはまた、外部情報源または運用者から通知を受信するＮＮ（２００）によっても遂行され得る。
【００６７】
次にステップ（８１０）でＮＮ（２００）は、この通知がＵＥ（１００）からのベアラーコンテキストの状態を持っているかどうかをチェックする。このチェックが肯定的な結果をもたらす場合には、ＮＮ（２００）はステップ（８１５）でＮＮ（２００）のベアラーコンテキストをＵＥ（１００）のベアラーコンテキストに同期させる。その後、ステップ（８２０）でＮＮ（２００）は、ベアラーを現在持っていないベアラーコンテキストのためにベアラー確立を初期化する。
【００６８】
ベアラーコンテキスト状態がステップ（８１０）でＮＮ（２００）に供給されない場合には、ＮＮ（２００）はベアラーを現在持っていないベアラーコンテキストのためにベアラー確立を初期化するように進む。
【００６９】
（実施の形態３）
「ＮＮによるベアラーコンテキスト変化の取り扱い」
本発明の別の実施形態では、専用ベアラーコンテキストのためのフィルタは資源限定の通知を受信したときにマーク付けされる。マーク付けされたフィルタは「凍結」コンテキストとして保存され、その後、図５のシーケンス５００のステップ（５４５）にしたがって初期設定ベアラーに変更される。如何なるフィルタが削除されたときでも、「凍結」コンテキストからの対応するフィルタも併せて削除される。資源限定が解除された後に、「凍結」コンテキストからのフィルタの新しいセットは、ステップ（５７０）と（５８０）とにしたがってＮＮ（２００）に同期化される。本実施形態は、ＵＥ（１００）およびＮＮ（２００）が資源限定の継続期間中のフィルタ構成の変化を管理できることを保証する。
【００７０】
（実施の形態４）
「ＵＥ装置」
図１は本発明を具体化するＵＥ（１００）という装置を示す。ＵＥ（１００）は多数のモジュールを備え、それらのうちの幾つかは図１に示されている。ＵＥ（１００）は一般に、３ＧＰＰ  ＬＴＥ、ＵＭＴＳおよびＷｉＭＡＸといった単一または複数の無線技術にしたがって動作する。
【００７１】
アプリケーション（１０５）は何らかのインターネットプロトコル使用可能アプリケーションを表している。これらのアプリケーションは、ヴォイス・オーバーＩＰ（ＶｏＩＰ）、インターネットブラウジング、ビデオサービスなどを含む。アプリケーション（１０５）はパケットバッファ（１１０）モジュールにインタフェース接続される。パケットバッファ（１１０）は、ＵＥ（１００）がアイドルモードにあるときに確立されたベアラーが存在しないアプリケーション（１０５）からのパケットをバッファリングする。
【００７２】
パケットバッファ（１１０）モジュールは、接続管理（１２５）モジュールおよびフィルタリングシステム（１２０）モジュールにインタフェース接続する。接続管理（１２５）モジュールはＮＮ（２００）を含むネットワークとの信号伝達接続を確立する。モジュール（１２５）はアクセス管理機構の利用可能性をチェックするために、ＲＲＣ層といった下位層と対話する。接続管理（１２５）はまた、これがコンテキスト情報から導き出したベアラーコンテキスト状態に関する情報を提供する。この情報はＮＮ（２００）とのベアラーコンテキスト同期化を可能にする。本実施形態の一態様では、接続管理（１２５）は３ＧＰＰ  ＴＳ  ２４．３０１および３ＧＰＰ  ＴＳ  ２４．００８にしたがって、ベアラーコンテキスト状態を導き出す。
【００７３】
フィルタリングシステム（１２０）はＩＰパケットフローのためのフィルタを実現する。アップリンクパケットは、コンテキスト情報によって与えられたフィルタに基づいてフィルタリングされ、対応する無線ベアラーにマッピングされる。
【００７４】
コンテキストインフォ（Ｃｏｎｔｅｘｔ  Ｉｎｆｏ）（１１５）モジュールはコンテキスト情報を記憶する。コンテキスト情報はベアラー識別子、ＴＦＴ、ＱｏＳなどを備える。本発明によれば、コンテキストインフォ（１１５）はまた、「凍結」コンテキストおよび「暫定」コンテキストに関する情報も記憶する。このモジュールは、資源限定が「オン」になっていることに気づいたとき、および、幾つかの専用ベアラーが確立されていないときに、「凍結」コンテキストを作り出す。「凍結」コンテキストは現在のコンテキストの記憶である。「暫定」コンテキストは、初期設定ベアラーがＴＦＴを有する場合にフィルタを初期設定ベアラーに変更することによって作り出される。資源限定が「オン」になっているとき、コンテキストインフォ（１１５）はＵＥ（１００）がＱｏＳ修正を要求することを阻止する。資源限定が「オフ」になっているとき、コンテキストインフォ（１１５）はＵＥ（１００）がＱｏｓ修正を要求することを可能にする。このモジュールはまた、資源限定が「オフ」になっているとき、および、ＮＮ（２００）との再同期化が要求されるときに、接続管理（１２５）モジュールにＱｏＳ情報を与える。
【００７５】
無線接続マネージャ（１３０）モジュールはＮＮ（２００）との信号伝達接続を確立し、システム放送マネージャ（１３５）を管理する。本実施形態の一態様では、無線接続マネージャ（１３０）はＵＥ（１００）のＲＲＣ層に類似している。このモジュールは、アクセス管理機構がシステム放送マネージャ（１３５）によって検出された場合にアクセス・クラス・バーリングまたはサービス特定アプリケーション管理（ＳＳＡＣ）といったアクセス管理機構についてＮＡＳ層に知らせる。
【００７６】
システム放送マネージャ（１３５）はシステム情報の変化を検出するＲＲＣ層の副次機能である。本発明によれば、このモジュール（１３５）は資源限定ビットの変化を検出して、これらの変化を上位層に知らせる。
【００７７】
Ｕ面トランシーバ（１４０）は、ＵＥ（１００）とＮＮ（２００）との間のＩＰパケットの変更に責任を有するモジュールである。
【００７８】
（実施の形態５）
「ＮＮ装置」
図２は本発明を具体化するＮＮ（２００）という装置を示す。ＮＮ（２００）は多数のモジュールを備え、これらのうちの幾つかは図２に示されている。ＮＮ（２００）は一般に３ＧＰＰ  ＬＴＥ、ＵＭＴＳおよびＷｉＭＡＸといった単一または複数の無線技術にしたがって動作する。ＮＮ（２００）は、ネットワーク内の種々の論理的または物理的ノードに存在し得る多くの更なる機能から成り立ってもよい。例えばＮＮ（２００）のモジュールはＭＭＥ、Ｐ−ＧＷまたは他の任意のネットワークノードにわたって実現され得る。
【００７９】
接続管理（２０５）モジュールは、ＵＥ（１００）の接続管理（１２５）モジュールのピアエンティティである。ＮＮ（２００）の接続管理（２０５）はＵＥ（１００）との信号伝達接続の初期確立を取り扱う。このモジュールは、資源限定が「オン」または「オフ」になっているかどうかの指示を検出する。モジュール（２０５）はまた、資源限定が「オフ」になっていることをＵＥ（１００）が示すときに、ベアラーコンテキスト状態によってベアラー確立を初期化する。
【００８０】
接続管理（２０５）はコンテキストインフォ（２１０）モジュールおよびベアラーセットアップ（２１５）モジュールにインタフェース接続する。コンテキストインフォ（２１０）モジュールはコンテキスト情報を記憶する。コンテキスト情報はベアラー識別子、ＴＦＴ、ＱｏＳなどを備える。本発明によれば、コンテキストインフォ（２１０）はまた、「凍結」コンテキストおよび「暫定」コンテキストに関する情報も記憶する。このモジュールは、資源限定が「オン」になっていることに気づいたとき、および幾つかの専用ベアラーが確立されていないときに、「凍結」コンテキストを作り出す。「凍結」コンテキストは現在のコンテキストの記憶である。「暫定」コンテキストは、初期設定ベアラーがＴＦＴを有する場合にフィルタを初期設定ベアラーに変更することによって作り出される。
【００８１】
ベアラーセットアップ（２１５）は、接続管理（２０５）によってトリガーされたときに、ＵＥ（１００）のためにベアラーセットアップを開始する。接続管理（２０５）はベアラーセットアップ（２１５）に関連ベアラーコンテキスト情報を供給する。
【００８２】
本発明の前述の実施形態は、無線ネットワークにおける資源限定のための本発明のアプリケーションを示している。
【図１】
2013502085.tif 000003
【図２】
2013502085.tif 000004
【図３】
2013502085.tif 000005
【図４】
2013502085.tif 000006
【図５】
2013502085.tif 000007
【図６】
2013502085.tif 000008
【図７】
2013502085.tif 000009
【図８】
2013502085.tif 000010
【国際調査報告】
2013502085.tif 000011
2013502085.tif 000012